(57)【特許請求の範囲】
【請求項１】
原稿に白色光を照射する照射手段と、
前記照射手段により照射された光のうち前記原稿において反射した反射光を所定の位置に結像させる結像手段と、
前記結像手段により前記位置に結像される反射光の一部を選択的に透過させる透過手段と、
前記透過手段により透過され、前記結像手段により前記位置に結像された反射光を複数の異なる色成分に対応する複数の特定波長域で感知し、その受光量を表す画像データを各色成分について生成する受光手段と
を備え、
前記透過手段は、
前記複数の特定波長域の一部をそれぞれ含む複数の波長域の光を透過させ、その他の波長域の光の透過を阻止する第１のフィルタと、
前記複数の特定波長域のいずれかに含まれ、かつ、前記第１のフィルタが透過させる波長域と異なる波長域の光を透過させ、その他の波長域の光の透過を阻止する第２のフィルタと、
前記第１または第２のフィルタのいずれかに前記反射光を透過させるフィルタ切替手段とを有し、
前記受光手段は、
前記第１のフィルタを透過した反射光と、前記第２のフィルタを透過した反射光とを感知し、それぞれの光に応じた画像データを生成する
ことを特徴とする画像読取装置。
【請求項２】
前記複数の特定波長域に対応する複数の色成分が、レッド、グリーンおよびブルーであり、
前記第１のフィルタが、レッド、グリーンおよびブルーに対応する特定波長域の一部の波長域の光をそれぞれ透過させ、
前記第２のフィルタが、レッド、グリーンおよびブルーに対応する特定波長域の一部の波長域の光であって、前記第１のフィルタが透過させる波長域と異なる波長域の光をそれぞれ透過させる
ことを特徴とする請求項１に記載の画像読取装置。
【請求項３】
前記第１および第２のフィルタの光路長が等しいことを特徴とする請求項１に記載の画像読取装置。
【請求項４】
前記第１および第２のフィルタが、同一の基材からなり、かつ、前記反射光の進行方向の厚みが同一であることを特徴とする請求項１に記載の画像読取装置。
【請求項５】
前記第１および第２のフィルタが干渉フィルタであることを特徴とする請求項１に記載の画像読取装置。
【請求項６】
前記受光手段は、
前記反射光を主走査方向について感知するラインセンサを備え、
前記フィルタ切替手段は、
前記第１および第２のフィルタを主走査方向に対して垂直の方向に移動させることにより前記反射光を透過させるフィルタを切り替える
ことを特徴とする請求項１に記載の画像読取装置。
【請求項７】
前記透過手段は、
前記反射光のほぼ全てを透過する第３のフィルタをさらに備え、
前記フィルタ切替手段は、
前記第１、第２または第３のフィルタのいずれかに前記反射光を透過させる
ことを特徴とする請求項１に記載の画像読取装置。
【請求項８】
前記第１、第２および第３のフィルタの光路長が等しいことを特徴とする請求項７に記載の画像読取装置。
【請求項９】
請求項１ないし８のいずれかに記載の画像読取装置と、
前記受光手段により生成された画像データに基づいて、前記原稿を表す画像をシートに形成する画像形成手段と
を備えることを特徴とする画像形成装置。
【請求項１０】
複数の異なる色成分に対応する複数の特定波長域の一部をそれぞれ含む複数の波長域の光を透過させ、その他の波長域の光の透過を阻止する第１のフィルタと、前記複数の特定波長域のいずれかに含まれ、かつ、前記第１のフィルタが透過させる波長域と異なる波長域の光を透過させ、その他の波長域の光の透過を阻止する第２のフィルタと、光を前記複数の特定波長域で感知し、その受光量を表す画像データを各色成分について生成する受光手段とを備える画像読取装置を用いた画像読取方法であって、
原稿に白色光を照射し、当該照射された光のうち前記原稿において反射した反射光を前記受光手段が設けられた位置に結像させるとともに、当該反射光のうち、前記第１のフィルタが透過させる複数の波長域のそれぞれの光に対応する画像データを生成する第１のステップと、
前記原稿に白色光を照射し、当該照射された光のうち前記原稿において反射した反射光を前記受光手段が設けられた位置に結像させるとともに、当該反射光のうち、前記第２のフィルタが透過させる複数の波長域のそれぞれの光に対応する画像データを生成する第２のステップと
を有することを特徴とする画像読取方法。
【発明の詳細な説明】
【技術分野】
【０００１】
本発明は、画像読取装置、画像形成装置および画像読取方法に関する。
【背景技術】
【０００２】
カラー複写機等の画像形成装置において、従来よりも多くの色材（トナー、インク等）を用いて画像を形成する技術が普及しつつある。色材の色数を増やすと、色再現域を拡張することができ、より本来の画像に忠実な色再現を行うことが可能となる。また、原稿の読み取りに際しては、従来、ラインセンサ等によりレッド、グリーンおよびブルーの３色の波長域で撮像し、この３色の色成分からなる画像データを生成する構成が一般的であったが、色材の多色化に伴い、より多色での読み取りが求められている。
【０００３】
被撮像物を４色以上の色で撮像する技術自体は、従来よりさまざまなものが知られている。例えば、特許文献１および２に記載されているような、複数のカラーフィルタを切り替えながら複数回の撮像を行う構成が代表的である。
【特許文献１】特開昭６１−８４１５０号公報
【特許文献２】特開平５−１１０７６７号公報
【発明の開示】
【発明が解決しようとする課題】
【０００４】
しかし、特許文献１および２に記載された技術を用いて多色での読み取りを実現しようとした場合、読み取るべき色数と同じ回数の撮像が必要となる。そのため、これをカラー複写機等のスキャナ部分に適用した場合、原稿の読み取りに長時間を要するだけでなく、装置の大型化も免れることができない。
【０００５】
また、読み取るべき色数と同数のラインセンサを設けることにより、多色での読み取りを実現する方法も考えられる。しかしながら、このように多数のラインセンサを設けた場合、各々のラインセンサ上に、多色に対応する所望の波長範囲のみに限定して光を透過させるためのオンチップカラーフィルタを形成することが必要になるが、その色材を調製することが困難であるという問題がある。また、センサの構造が複雑になり、かつ、画像信号を処理するための回路の規模も大きくなるので高コストになるという問題もある。
【０００６】
本発明はかかる事情に鑑みてなされたものであり、その目的は、スキャナ等の画像読取装置において、多色での読み取りを従来とは異なる仕組みで実現するための技術を提供することにある。
【課題を解決するための手段】
【０００７】
上述の目的を達成するために、本発明は、原稿に白色光を照射する照射手段（ランプ）と、前記照射手段により照射された光のうち前記原稿において反射した反射光を所定の位置に結像させる結像手段（結像レンズ部）と、前記結像手段により前記位置に結像される反射光の一部を選択的に透過させる透過手段（フィルタ部）と、前記透過手段により透過され、前記結像手段により前記位置に結像された反射光を複数の異なる色成分に対応する複数の特定波長域で感知し、その受光量を表す画像データを各色成分について生成する受光手段（撮像部および出力部）とを備え、前記透過手段は、前記複数の特定波長域の一部をそれぞれ含む複数の波長域の光を透過させ、その他の波長域の光の透過を阻止する第１のフィルタ（第１フィルタ）と、前記複数の特定波長域のいずれかに含まれ、かつ、前記第１のフィルタが透過させる波長域と異なる波長域の光を透過させ、その他の波長域の光の透過を阻止する第２のフィルタ（第２フィルタ）と、前記第１または第２のフィルタのいずれかに前記反射光を透過させるフィルタ切替手段（フィルタ切替機構）とを有し、前記受光手段は、前記第１のフィルタを透過した反射光と、前記第２のフィルタを透過した反射光とを感知し、それぞれの光に応じた画像データを生成する画像読取装置を提供する。
【０００８】
また、本発明に係る画像読取装置において、前記複数の特定波長域に対応する複数の色成分が、レッド、グリーンおよびブルーであり、前記第１のフィルタが、レッド、グリーンおよびブルーに対応する特定波長域の一部の波長域（Ｒ1、Ｇ1およびＢ1）の光をそれぞれ透過させ、前記第２のフィルタが、レッド、グリーンおよびブルーに対応する特定波長域の一部の波長域の光であって、前記第１のフィルタが透過させる波長域と異なる波長域（Ｒ2、Ｇ2およびＢ2）の光をそれぞれ透過させる構成であると、より望ましい。
【０００９】
また、本発明に係る画像読取装置において、前記第１および第２のフィルタは、それぞれの光路長が等しいものを用いるのが好適である。より具体的には、同一の基材からなり、かつ、前記反射光の進行方向の厚みが同一であると、さらに望ましい。このようなフィルタは、例えば、低分散のガラス基材を用いた干渉フィルタにより実現可能である。
【００１０】
また、本発明に係る画像読取装置において、前記受光手段は、前記反射光を主走査方向について感知するラインセンサを備え、前記フィルタ切替手段は、前記第１および第２のフィルタを主走査方向に対して垂直の方向に移動させることにより前記反射光を透過させるフィルタを切り替える構成であると望ましい。このようにすれば、簡単かつ小型な構成で第１および第２のフィルタを移動させることができる。
【００１１】
また、本発明に係る画像読取装置は、例えば、原稿を一般的なレッド、グリーンおよびブルーの３色で読み取って３色の色成分からなる画像データを出力する「ノーマルモード」と、原稿をより多くの色（例えば６色）で読み取って４色以上の色成分からなる画像データを出力する「高色再現モード」のいずれかで動作可能な構成としてもよい。具体的には、上述の画像読取装置において、前記透過手段に前記反射光のほぼ全てを透過する第３のフィルタをさらに備え、前記フィルタ切替手段を、前記第１、第２または第３のフィルタのいずれかに前記反射光を透過させるような構成とすればよい。なお、この場合においても、第１、第２および第３のフィルタの光路長が等しいことが望ましい。
【００１２】
また、本発明は、上述の画像読取装置と、前記受光手段により生成された画像データに基づいて、前記原稿を表す画像を用紙等のシート状物に形成する画像形成手段とを備える画像形成装置としても特定される。
【００１３】
また、本発明は、複数の異なる色成分に対応する複数の特定波長域の一部をそれぞれ含む複数の波長域の光を透過させ、その他の波長域の光の透過を阻止する第１のフィルタと、前記複数の特定波長域のいずれかに含まれ、かつ、前記第１のフィルタが透過させる波長域と異なる波長域の光を透過させ、その他の波長域の光の透過を阻止する第２のフィルタと、光を前記複数の特定波長域で感知し、その受光量を表す画像データを各色成分について生成する受光手段とを備える画像読取装置を用いた画像読取方法であって、原稿に白色光を照射し、当該照射された光のうち前記原稿において反射した反射光を前記受光手段が設けられた位置に結像させるとともに、当該反射光のうち、前記第１のフィルタが透過させる複数の波長域のそれぞれの光に対応する画像データを生成する第１のステップと、前記原稿に白色光を照射し、当該照射された光のうち前記原稿において反射した反射光を前記受光手段が設けられた位置に結像させるとともに、当該反射光のうち、前記第２のフィルタが透過させる複数の波長域のそれぞれの光に対応する画像データを生成する第２のステップとを有する画像読取方法としても特定される。
【発明の効果】
【００１４】
以上のように、本発明によれば、画像読取装置において、多色での読み取りを従来とは異なる仕組みで実現することが可能となる。
【発明を実施するための最良の形態】
【００１５】
以下、本発明の実施の形態について図面を参照しつつ説明する。なお、以下で参照する図面においては、本発明の内容を容易に理解せしめるために、構成要素の一部を単純化したり、強調して示す場合がある。そのため、寸法等の比例関係が実物と大きく異なるものもある。
【００１６】
［実施形態の構成］
図１は、本発明の一実施形態である画像読取装置１０の構成を示す図である。なお、以下の説明においては、同図において矢印Ｘ、ＹおよびＺで示す直交座標を定義し、これらの座標軸に平行な方向を、それぞれ「Ｘ方向」、「Ｙ方向」および「Ｚ方向」という。なお、同図においてＸ方向とは、紙面に垂直な方向のことである。
【００１７】
本実施形態の画像読取装置１０は、カラー複写機等の画像形成装置のスキャナとして好適に用いられるものである。画像読取装置１０は、図１に示すように、プラテンガラス１１と、プラテンカバー１２と、フルレートキャリッジ１３と、ハーフレートキャリッジ１４と、結像レンズ部１５と、赤外カットフィルタ１６と、フィルタ部１７と、撮像部１８と、出力部１９とを備える。なお、図１において、一点鎖線で示す矢印は光（照射光および反射光）の進行する経路を表している。
【００１８】
プラテンガラス１１は、読み取るべき原稿Ｏを載置するための透明なガラス板であり、その表面が水平となるように設置されている。プラテンカバー１２はプラテンガラス１１を覆うように設けられており、外光を遮断してプラテンガラス１１上に載置された原稿Ｏの読み取りを容易にする。
【００１９】
フルレートキャリッジ１３は、ランプ１３１と、リフレクタ１３２と、ミラー１３３とを備える。なお、これらの各部材は、Ｘ方向についてプラテンガラス１１と同程度の幅（奥行き）を有する。ランプ１３１は、原稿Ｏおよびリフレクタ１３２に対して光を照射する光源である。このランプ１３１としては、タングステンハロゲンランプや蛍光ランプ等の白色光を照射する光源を用いるのが望ましい。なお、ここにおいて「白色光」とは、照射エネルギーの分光分布が可視領域のほぼ全域に渡る光を意味する。リフレクタ１３２は平面状あるいは放物線状の集光面を有する反射板であり、ランプ１３１により照射される照射光を原稿Ｏ上の読み取るべき領域に偏向させる。このリフレクタ１３２を設けることにより、原稿Ｏの読み取るべき領域には十分な光量で照射光が照射される。ミラー１３３はランプ１３１より照射された光のうちの原稿Ｏにおいて反射した反射光をさらに反射させ、ハーフレートキャリッジ１４へと導く。ハーフレートキャリッジ１４はミラー１４１、１４２を備え、フルレートキャリッジ１３からの反射光をさらに反射させて結像レンズ部１５へと導く。なお、これらの各部材は、Ｘ方向についてプラテンガラス１１と同程度の幅（奥行き）を有する。
【００２０】
フルレートキャリッジ１３およびハーフレートキャリッジ１４は、図示せぬ駆動手段によりＹ方向に移動される。すなわち、Ｙ方向は本実施形態における副走査方向に相当するものである。フルレートキャリッジ１３は所定の速度でＹ方向に移動され、ハーフレートキャリッジ１４はフルレートキャリッジ１３の移動速度の約半分の速度でＹ方向に移動される。
【００２１】
結像レンズ部１５は１または複数のレンズを備え、ミラー１４２からの反射光を撮像部１８の位置で結像させる。赤外カットフィルタ１６は撮像部１８に結像される反射光から読み取りに有害な成分であるレッドの長波長域成分および近赤外光成分（７００ｎｍ〜）を反射あるいは吸収する。赤外カットフィルタの分光透過特性は、例えば図２のようになっている。
【００２２】
フィルタ部１７は複数のフィルタを備え、結像レンズ部１５から出射される反射光にいずれかのフィルタを適用する。撮像部１８はＸ方向に延在するセンサ１８１、１８２および１８３を備え、結像レンズ部１５により結像される反射光を受光して分光光の光量に応じた画像信号を生成する。すなわち、Ｘ方向は本実施形態における主走査方向に相当するものである。センサ１８１、１８２および１８３は、それぞれ、ＣＣＤ（Charge Coupled Device）等の受光素子（撮像素子）をＸ方向に複数配置してなるラインセンサであり、各々がブルー（Ｂ）、グリーン（Ｇ）およびレッド（Ｒ）の色成分に対応する波長域の光を透過させるオンチップカラーフィルタを備えている。具体的には、本実施形態のセンサ１８１、１８２および１８３は、それぞれ、主として４００〜５００（ｎｍ）、５００〜５８０（ｎｍ）および５７５〜７００（ｎｍ）近傍の波長域の反射光を感知し、Ｂ、ＧおよびＲの色成分を表すアナログの画像信号を生成して出力する。なお、センサ１８１、１８２および１８３の分光感度特性は、図３のようになっている。
【００２３】
次に、フィルタ部１７の構成を図４を参照しながら説明する。フィルタ部１７は、第１フィルタ１７１と、第２フィルタ１７２と、第３フィルタ１７３と、フィルタ切替機構１７４とを備える。第１フィルタ１７１および第２フィルタ１７２は干渉フィルタであり、所定の波長域の光を選択的に透過するように設計されている。干渉フィルタとは、ガラス等の基材に屈折率の異なる誘電体の薄膜を複数積層してなるものであり、薄膜の材質や膜厚を適切に選択することで、任意の波長域の光を選択的に透過させることが可能となっている。薄膜の材質としては、例えば二酸化チタン（ＴｉＯ２）や二酸化シリコン（ＳｉＯ２）がある。
【００２４】
図５および図６は、それぞれ、第１フィルタ１７１および第２フィルタ１７２の分光透過率を示すグラフである。図５に示すように、第１フィルタ１７１は、およそ４００〜４６０（ｎｍ）および５４０〜６３０（ｎｍ）の光を選択的に透過させる。また、図６に示すように、第２フィルタ１７２は、およそ４６０〜５４０（ｎｍ）および６３０〜（ｎｍ）の光を選択的に透過させる。
【００２５】
これらの図からわかるように、第１フィルタ１７１および第２フィルタ１７２は、いずれも、Ｂ、ＧおよびＲに対応する波長域の光の一部を透過するようになっている。そこで、以下では、第１フィルタ１７１が透過する４００〜４６０（ｎｍ）、５４０〜５８０（ｎｍ）および５７５〜６３０（ｎｍ）の波長域を、それぞれ「Ｂ1」「Ｇ1」および「Ｒ1」といい、第２フィルタ１７２が透過する４６０〜５００（ｎｍ）、５００〜５４０（ｎｍ）および６３０〜７００（ｎｍ）の波長域を、それぞれ「Ｂ2」「Ｇ2」および「Ｒ2」という（図７参照）。
【００２６】
再び図４を参照し、フィルタ部１７のその他の部分の構成を説明する。第３フィルタ１７３は、第１フィルタ１７１および第２フィルタ１７２の基材と同様の材質のガラス板である。第３フィルタ１７３は、第１フィルタ１７１および第２フィルタ１７２と異なり、可視光のほぼ全てを透過する。つまり、第３フィルタ１７３は、フィルタというよりもむしろ、単に光を透過させるだけの媒質に過ぎないが、説明の便宜上フィルタと呼ぶこととする。フィルタ切替機構１７４は第１フィルタ１７１、第２フィルタ１７２および第３フィルタ１７３の両端を把持し、これらをＺ方向に上下動させる。
【００２７】
なお、第１フィルタ１７１、第２フィルタ１７２および第３フィルタ１７３のそれぞれは、光路長、すなわちフィルタを構成する媒質とその屈折率の積が等しくなることが望ましい。このようにすると、各フィルタを透過した反射光の結像位置が同一となり、フォーカスの調整等が不要となるからである。加えて、第１フィルタ１７１、第２フィルタ１７２および第３フィルタ１７３のそれぞれの基材を同一の材料とし、それぞれの厚さがほぼ同一となると、より好適である。これは、それぞれのフィルタの厚さが大きく異なると、軸上色収差が顕著となるからである。
【００２８】
図１の画像読取装置１０の説明に戻る。出力部１９は、撮像部１８より出力されたアナログ信号（画像信号）に各種処理を実行し、これをデジタルデータである画像データとして出力する。具体的には、出力部１９は各色の画像信号にＡＤ変換やシェーディング補正等を実行し、各色の画像データを所定の形式（点順次または面順次）で後段の装置に出力する。
【００２９】
［動作］
以上の構成のもと、画像読取装置１０は、フルレートキャリッジ１３（およびハーフレートキャリッジ１４）を副走査方向に移動させながら原稿Ｏに光を照射し、原稿Ｏの表面において反射した反射光に基づいて画像データを生成する。以下では、この動作のことを「スキャン動作」という。本実施形態の画像読取装置１０は、原稿Ｏを３色（すなわち、Ｒ、ＧおよびＢ）で読み取って３色の色成分からなる画像データを出力する「ノーマルモード」と、原稿Ｏを６色で読み取って６色の色成分からなる画像データを出力する「高色再現モード」のいずれかで動作することが可能である。そこで、ここではそれぞれのモードにおける動作を説明する。
【００３０】
ノーマルモードにおいては、フィルタ切替機構１７４は各フィルタを移動させ、反射光が第３フィルタ１７３を透過するような位置で停止させる。すなわち、フィルタ切替機構１７４は、各フィルタを図１に示す位置に移動させる。画像読取装置１０はこの状態のままスキャン動作を行い、１回のスキャン動作でＲＧＢ各色の画像データを生成する。
【００３１】
これに対して、高色再現モードにおいては、まず、フィルタ切替機構１７４は各フィルタを移動させ、反射光が第１フィルタ１７１を透過するような位置で停止させる。画像読取装置１０はこの状態で第１回のスキャン動作を行い、波長域Ｒ1、Ｇ1およびＢ1に対応する各色の画像データを生成する。続いて、フィルタ切替機構１７４は各フィルタを移動させ、反射光が第２フィルタ１７２を透過するような位置で停止させる。画像読取装置１０はこの状態で第２回のスキャン動作を行い、波長域Ｒ2、Ｇ2およびＢ2に対応する各色の画像データを生成する。そして、出力部１９は、これら６色の色成分からなる画像データを出力する。
【００３２】
以上のように、本実施形態の画像読取装置１０によれば、比較的簡便な構成によって６色での読み取りが可能となる。このような多色での読み取りにより、原稿の分光反射率の推定がより正確に行えるようになるので、メタメリズム（条件等色）が抑制されたより忠実な色再現の実現が容易となる。
【００３３】
［変形例］
以上においては、一の好適な実施形態を例示して本発明を説明したが、本発明は上述した実施形態に限定されるものではなく、その他の種々の態様にて実施することも可能である。本発明においては、例えば、上述した実施形態に対して以下のような変形を適用することができる。なお、これらの変形は、各々を適宜に組み合わせることも可能である。
【００３４】
上述の実施形態において、６色での読み取りを行う場合には、反射光は２つのフィルタ（フィルタ部１７の干渉フィルタと撮像部１８のオンチップカラーフィルタ）を透過してから受光されるので、受光量が低下するという問題が生じ得る。そこで、例えば、高色再現モードにおいてはノーマルモードよりも走査速度（すなわちキャリッジの移動速度）を遅くするなどして露光時間を増加させ、十分な受光量を確保できるようにしてもよい。
【００３５】
また、６色での読み取りを行う場合には、それぞれの色成分毎に画像データの均一性が異なる可能性があるため、各色成分の画像データを合成しても原稿の色を忠実に再現できない可能性がある。そこで、例えば、各色成分の画像データに対して行うシェーディング補正の補正係数を色成分毎に異ならせてもよい。また、プラテンガラス１１の近傍に基準となる白色を示す白基準板を設け、この白基準板の読み取り結果に応じて各色成分の補正を行うようにしてもよい。
【００３６】
また、上述の実施形態においては、互いが透過する波長域の光を透過させないように第１フィルタ１７１および第２フィルタ１７２を選択したが、これらのフィルタが透過させる波長域は、部分的に重なっていてもよい。また、第１フィルタ１７１および第２フィルタ１７２で読み取る色成分は６色とは限らず、これより少なくてもよい。また、それぞれ透過波長域が異なった３種類のフィルタを用い、３回のスキャン動作を行うことで９色の色成分を読み取る構成とすることも可能である。さらに、これらのフィルタは、上述の実施形態のような選択的な分光透過率を実現できるのであれば、干渉フィルタ以外の他のフィルタであってもよい。
【００３７】
また、上述の実施形態においては、ブルー、グリーンおよびレッドの色成分に対応するセンサとして、主として４００〜５００（ｎｍ）、５００〜５８０（ｎｍ）および５７５〜７００（ｎｍ）近傍の波長域の反射光をそれぞれ受光するセンサ１８１、１８２および１８３を用いたが、本発明において、ブルー、グリーンおよびレッドの色成分とは、この波長域のみに限定されるものではない。例えば、分光感度特性が上述の実施形態と異なるセンサを用いることも可能である。また、読み取り対象が原稿のようなシート状物である場合には、センサをラインセンサとするのが望ましいが、読み取り対象によっては、センサをラインセンサではなくエリアセンサとしてもよい。
【００３８】
また、上述の実施形態においては、画像読取装置１０をノーマルモードと高色再現モードとにより動作させる例を説明したが、６色での読み取りのみを行うように構成してもよい。この場合、当然、第３フィルタ１７３は不要となる。
【００３９】
また、上述したように、上述の実施形態の画像読取装置１０は、カラー複写機等の画像形成装置のスキャナとして好適に用いられるものである。すなわち、換言すれば、本発明は、例えば画像読取装置１０と同様の構成を有する画像読取手段と、この画像読取手段により生成された画像データに基づいて、原稿を表す画像を用紙等のシート状物に形成する画像形成手段とを備える画像形成装置としても特定され得るものである。なお、この場合において、画像形成手段としては、一般的な周知のカラープリンタを用いることができるが、用いる色材の色が多色（５色以上）であると、より好適である。
【図面の簡単な説明】
【００４０】
【図１】本発明の実施形態に係る画像読取装置の構成を示す図である。
【図２】画像読取装置の赤外カットフィルタの分光透過特性を示す図である。
【図３】画像読取装置の各センサの分光感度特性を示す図である。
【図４】画像読取装置のフィルタ部の構成を示す図である。
【図５】フィルタ部の第１フィルタの分光透過率を示すグラフである。
【図６】フィルタ部の第２フィルタの分光透過率を示すグラフである。
【図７】画像読取装置の撮像部において受光される光の波長域を示す図である。
【符号の説明】
【００４１】
１０…画像読取装置、１１…プラテンガラス、１２…プラテンカバー、１３…フルレートキャリッジ、１３１…ランプ、１３２…リフレクタ、１３３…ミラー、１４…ハーフレートキャリッジ、１４１、１４２…ミラー、１５…結像レンズ部、１６…赤外カットフィルタ、１７…フィルタ部、１７１…第１フィルタ、１７２…第２フィルタ、１７３…第３フィルタ、１７４…フィルタ切替機構、１８…撮像部、１８１、１８２、１８３…センサ、１９…出力部
【図１】
0004802850.tif 000002
【図２】
0004802850.tif 000003
【図３】
0004802850.tif 000004
【図４】
0004802850.tif 000005
【図５】
0004802850.tif 000006
【図６】
0004802850.tif 000007
【図７】
0004802850.tif 000008